(57)【要約】      （修正有）【課題】表示効果が優れるタッチパネル及び該タッチパネルを備える表示装置を提供する。【解決手段】基板１０及び基板に設置された表示駆動ＩＣを備える。基板は、電極１５、第一接続線１７、共通電圧線１８及び共通電圧スイッチ１９を備える。第一接続線は、配線１７１及び第一補償容量線１７３を備え、対応する電極と表示駆動ＩＣと接続する。第一補償容量線は、配線と同一直線に位置し、共通電圧線と接続する。共通電圧スイッチは、共通電圧線及び表示駆動ＩＣと接続する。表示駆動モードである場合、表示駆動ＩＣは、第一接続線の配線によって、電極に共通電圧を提供し、同時に共通電圧線が第一補償容量線に共通電圧を印加する。第一補償容量線による容量は、同一組の配線による容量に対して補償を行い、表示装置がタッチ駆動モードである場合、共通電圧スイッチを、フローティング状態にする。【選択図】図２
2017211981.tif 000002
【特許請求の範囲】
【請求項１】
表示装置に利用され、かつ基板及び前記基板に設置された表示駆動ＩＣを備え、前記基板は、複数の電極及び複数組の第一接続線を備えるタッチパネルにおいて、
前記基板は、さらに少なくとも一つの共通電圧線及び少なくとも一つの共通電圧スイッチを備え、
各一組の第一接続線は、配線及び第一補償容量線を備え、
各一組の配線の一端は、対応する一つの電極と接続し、別の一端は、前記表示駆動ＩＣと接続し、
前記第一補償容量線は、一つ或いは複数の前記電極に形成され、且つ前記少なくとも一つの共通電圧線と接続し、
前記少なくとも一つの共通電圧スイッチは、前記少なくとも一つの共通電圧線及び前記表示駆動ＩＣと接続し、且つＯＮ状態及びフローティング状態を切り替えられ、
前記表示装置の表示駆動モードである場合、前記表示駆動ＩＣは、前記複数組の第一接続線の配線によって、前記複数の電極に共通電圧を提供して前記配線に寄生容量が発生し、同時に前記少なくとも一つの共通電圧スイッチがＯＮ状態になって、前記少なくとも一つの共通電圧線が前記第一補償容量線に共通電圧を印加して前記第一補償容量線に容量が発生され、前記第一補償容量線による容量は、同一組の前記配線による容量に対して補償を行い、前記表示装置のタッチ駆動モードである場合、前記少なくとも一つの共通電圧スイッチは、フローティング状態になることを特徴とするタッチパネル。
【請求項２】
前記少なくとも一つの共通電圧線及び前記少なくとも一つの共通電圧スイッチは、それぞれ前記基板に頂部に位置し、前記少なくとも一つの共通電圧スイッチは、前記少なくとも一つの共通電圧線と接続し、前記少なくとも一つの共通電圧線は、前記第一補償容量線と垂直に設置し、且つ前記第一補償容量線と接続することを特徴とする請求項１に記載のタッチパネル。
【請求項３】
前記各一組の第一接続線は、第二補償容量線及び第三補償容量線を備え、同一組の前記第二補償容量線及び前記第三補償容量線は、それぞれ対応する前記一つ或いは複数の電極に形成され、且つ同一組の前記第一接続線の配線の両側に位置し、同一組の前記第一補償容量線、前記第二補償容量線及び前記第三補償容量線の前記複数の電極と離れている一端は、前記少なくとも一つの共通電圧線と接続することを特徴とする請求項１に記載のタッチパネル。
【請求項４】
前記少なくとも一つの共通電圧線及び前記少なくとも一つの共通電圧スイッチは、それぞれ前記基板に頂部に位置し、前記少なくとも一つの共通電圧線は、前記第一補償容量線、前記第二補償容量線及び前記第三補償容量線の前記複数の電極と離れている一端と接続し、前記少なくとも一つの共通電圧スイッチは、二つの共通電圧スイッチを備え、前記二つの共通電圧スイッチは、それぞれ前記少なくとも一つの共通電圧線の両端に位置し、前記二つの共通電圧スイッの一端は、前記少なくとも一つの共通電圧線の一端と接続し、別の一端は、前記表示駆動ＩＣと接続することを特徴とする請求項３に記載のタッチパネル。
【請求項５】
前記各一組の第一接続線は、第四補償容量線を備え、前記第四補償容量線は、前記基板の頂部に位置し、且つ同一組の前記第一補償容量線、前記第二補償容量線及び前記第三補償容量線の前記複数の電極と離れている一端と接続し、且つ前記第四補償容量線は、前記少なくとも一つの共通電圧線と接続して、前記複数組の第一接続線は、前記少なくとも一つの共通電圧スイッチを介して、前記少なくとも一つの共通電圧線と接続することを特徴とする請求項３に記載のタッチパネル。
【請求項６】
前記各一組の第一接続線は、第四補償容量線を備え、前記第四補償容量線は、前記基板の頂部に位置し、且つ同一組の前記第一補償容量線、前記第二補償容量線及び前記第三補償容量線の前記複数の電極と離れている一端と接続し、前記基板は、第二接続線を備え、前記第二接続線は、前記基板の底部に位置し、複数組の前記第二補償容量線及び第三補償容量線と接続し、且つ前記複数組の第一接続線の配線と絶縁するように設置し、前記複数組の第一接続線の前記第二補償容量線及び前記第三補償容量線の前記第四補償容量線と離れている一端と接続し、前記少なくとも一つの共通電圧線及び前記少なくとも一つの共通電圧スイッチは、それぞれ前記基板に底部に位置し、前記少なくとも一つの共通電圧スイッチは、前記第二接続線と接続し、前記少なくとも一つの共通電圧線を介して、前記表示駆動ＩＣと接続して、前記複数組の第一接続線は、前記第二接続線を介して、前記少なくとも一つの共通電圧線及び前記少なくとも一つの共通電圧スイッチと接続することを特徴とする請求項３に記載のタッチパネル。
【請求項７】
前記各一組の第一接続線は、第四補償容量線及び第五補償容量線を備え、前記第四補償容量線は、前記基板の頂部に位置し、且つ同一組の前記第一補償容量線、前記第二補償容量線及び前記第三補償容量線の前記複数の電極と離れている一端と接続し、前記第五補償容量線は、前記基板の底部に位置し、前記第四補償容量線と平行して設置し、前記各一組の第一接続線の第五補償容量線は、同一組の前記第一接続線の配線と絶縁するように設置し、且つ同一組の前記第一接続線の前記第二補償容量線及び第三補償容量線の前記第四補償容量線と離れている一端と接続し、
前記少なくとも一つの共通電圧線及び前記少なくとも一つの共通電圧スイッチは、それぞれ前記基板に底部に位置し、
前記少なくとも一つの共通電圧線は、前記複数組の第一接続線の第五補償容量線と平行して設置し、且つ同一組の前記第一接続線の配線と絶縁するように設置し、
前記少なくとも一つの共通電圧スイッチは、前記少なくとも一つの共通電圧線及び前記第五補償容量線との間に位置し、且つ前記少なくとも一つの共通電圧線及び前記第五補償容量線と接続して、前記複数組の第一接続線を介して、  前記少なくとも一つの共通電圧線及び前記少なくとも一つの共通電圧スイッチと接続することを特徴とする請求項３に記載のタッチパネル。
【請求項８】
タッチパネル及びタッチ駆動ＩＣを備える表示装置について、前記タッチパネルは、基板及び前記基板に設置された表示駆動ＩＣを備え、前記基板は、複数の電極及び複数組の第一接続線を備える表示装置において、
前記基板は、さらに少なくとも一つの共通電圧線及び少なくとも一つの共通電圧スイッチを備え、
各一組の第一接続線は、配線及び第一補償容量線を備え、
各一組の配線の一端は、対応する一つの電極と接続し、別の一端は、前記表示駆動ＩＣと接続し、
前記第一補償容量線は、一つ或いは複数の前記電極に形成され、且つ前記少なくとも一つの共通電圧線と接続し、
前記少なくとも一つの共通電圧スイッチは、前記少なくとも一つの共通電圧線及び前記表示駆動ＩＣと接続し、且つＯＮ状態及びフローティング状態を切り替えられ、
前記表示装置の表示駆動モードである場合、前記表示駆動ＩＣは、前記複数組の第一接続線の配線によって、前記複数の電極に共通電圧を提供して前記配線に寄生容量が発生し、同時に前記少なくとも一つの共通電圧スイッチがＯＮ状態になって、前記少なくとも一つの共通電圧線が前記第一補償容量線に共通電圧を印加して前記第一補償容量線に容量が発生され、前記第一補償容量線による容量は、同一組の前記配線による容量に対して補償を行い、前記表示装置のタッチ駆動モードである場合、前記少なくとも一つの共通電圧スイッチは、フローティング状態になることを特徴とする表示装置。
【請求項９】
前記表示駆動ＩＣは、前記基板の底部に位置し、前記表示駆動ＩＣは、前記共通電圧を発生し、且つ前記共通電圧は前記タッチ駆動ＩＣに共通電圧を印加し、前記タッチパネルの表示駆動モードである際、前記タッチ駆動ＩＣが前記表示駆動からの共通電圧を前記複数の電極に印加し、前記タッチパネルの駆動モードがタッチ駆動モードである際、前記タッチ駆動ＩＣは前記複数の電極にタッチ走査信号を提供することを特徴とする請求項８に記載の表示装置。
【発明の詳細な説明】
【技術分野】
【０００１】
本発明は、タッチパネル及び該タッチパネルを備える表示装置に関するものである。
【背景技術】
【０００２】
従来技術の表示装置は、インセル（ｉｎ−ｃｅｌｌ）型のタッチパネルを利用している。図１に示したように、表示装置のタッチパネル２００は、表示駆動ＩＣ２０３、複数の電極２０５及び複数の第一接続線２０７を備える。複数の電極２０５は、複数の第一接続線２０７によって、表示駆動ＩＣ２０３と電気的に接続する。各電極２０５の長さが異なるので、複数の第一接続線２０７の寄生容量値も異なる。表示駆動モードの場合、表示装置の輝度が不均一であり、色の違い等の問題が発生するので、表示装置の表示効果に影響を与える。
【発明の概要】
【発明が解決しようとする課題】
【０００３】
以上の問題点に鑑みて、本発明は、表示効果が優れたタッチパネル及び該タッチパネルを備える表示装置を提供することを目的とする。
【課題を解決するための手段】
【０００４】
上記の課題を解決するために、本発明のタッチパネルは、表示装置に利用され、基板及び基板に設置された表示駆動ＩＣを備え、基板は、複数の電極及び複数組の第一接続線を備え、基板は、さらに少なくとも一つの共通電圧線及び少なくとも一つの共通電圧スイッチを備え、各一組の第一接続線は、配線及び第一補償容量線を備え、各一組の配線の一端は、対応する一つの電極と接続し、別の一端は、表示駆動ＩＣと接続し、第一補償容量線は、複数の電極に形成され、且つ同一組の配線と同一直線に位置し、少なくとも一つの共通電圧線と接続し、少なくとも一つの共通電圧スイッチは、少なくとも一つの共通電圧線及び表示駆動ＩＣと接続し、表示装置の表示駆動モードである場合、表示駆動ＩＣは、複数組の第一接続線の配線によって、複数の電極に共通電圧を提供し、同時に少なくとも一つの共通電圧線が第一補償容量線に共通電圧を印加して、第一補償容量線による容量は、同一組の配線による容量に対して補償を行い、前記表示装置のタッチ駆動モードである場合、少なくとも一つの共通電圧スイッチは、フローティング状態になる。
【０００５】
上記の課題を解決するために、本発明の表示装置は、タッチパネル及びタッチ駆動ＩＣを備え、タッチパネルは、基板及び基板に設置された表示駆動ＩＣを備え、基板は、複数の電極及び複数組の第一接続線を備え、基板は、さらに少なくとも一つの共通電圧線及び少なくとも一つの共通電圧スイッチを備え、各一組の第一接続線は、配線及び第一補償容量線を備え、各一組の配線の一端は、対応する一つの電極と接続し、別の一端は、表示駆動ＩＣと接続し、第一補償容量線は、複数の電極に形成され、且つ同一組の配線と同一直線に位置し、少なくとも一つの共通電圧線と接続し、少なくとも一つの共通電圧スイッチは、少なくとも一つの共通電圧線及び表示駆動ＩＣと接続し、表示装置の表示駆動モードである場合、表示駆動ＩＣは、複数組の第一接続線の配線によって、複数の電極に共通電圧を提供し、同時に少なくとも一つの共通電圧線が第一補償容量線に共通電圧を印加して、第一補償容量線による容量は、同一組の配線による容量に対して補償を行い、前記表示装置のタッチ駆動モードである場合、少なくとも一つの共通電圧スイッチは、フローティング状態になる置。
【発明の効果】
【０００６】
本発明に係るタッチパネルは、複数の電極、複数組の第一接続線、一本の共通電圧線及び共通電圧スイッチを備え、各一本の第一接続線は、配線及び少なくとも一つの補償容量線を備え、配線は対応する電極と接続し、少なくとも一つの補償容量線は、対向する電極に設置され、且つ該配線と同じ直線に位置する。少なくとも一つの補償容量線は、共通電圧スイッチによって、共通電圧線と接続するため、表示駆動モードである場合、共通電圧線は、少なくとも一つの補償容量線に共通電圧を印加して、各一組の第一接続線の寄生容量値が同じになる。従って、表示駆動モード下で、表示装置の輝度が不均一の問題、色の違い等の問題を防止するため、表示装置の表示効果を向上させる。
【図面の簡単な説明】
【０００７】
【図１】従来技術のタッチパネルを示す図である。
【図２】本発明に係る第一実施形態例のタッチパネルを示す図である。
【図３】本発明に係る第二実施形態例のタッチパネルを示す図である。
【図４】本発明に係る第三実施形態例のタッチパネルを示す図である。
【図５】本発明に係る第四実施形態例のタッチパネルを示す図である。
【図６】本発明に係る第五実施形態例のタッチパネルを示す図である。
【図７】本発明に係るタッチパネルの表示駆動及びタッチ駆動の信号タイミングを示す図である。
【発明を実施するための形態】
【０００８】
以下、図面に基づいて、本発明に係るタッチパネル及び該タッチパネルを備える表示装置について詳細に説明する。
【０００９】
本発明に係るタッチパネル１００は、表示装置（図示せず）に使用され、該表示装置は、タッチパネル１００及びタッチ駆動ＩＣ（図示せず）を備える。図２を併せて参照すると、本発明に係る第一実施形態例のタッチパネル１００は、基板１０及び該基板１０に設置された表示駆動ＩＣ２０を備える。基板１０は、表示区域１１及び該表示区域１１を囲んで設置された非表示区域１３を備える。基板１０の構造は、二つの基板の間に液晶層が形成されているタイプである。この場合、基板１０の下基板のところに複数のゲート線、該複数のゲート線と交叉している複数のデータ線、ゲート線とデータ線との間の交叉によって定義される複数の画素、及び複数の画素で形成されている複数の薄膜トランジスタ（ＴＦＴ）が設置されている。ここで、データ線とゲート線との交叉構造は、マトリックス式で複数の画素が配列されている。
【００１０】
基板１０は、さらに複数の電極１５、複数組の第一接続線１７、一本の共通電圧線１８及び共通電圧スイッチ１９を備える。複数の電極１５は、それぞれ表示区域１１にマトリックス式で配列されており、且つ複数の電極１５が重なって設置されている。各電極１５は、表示駆動期間において、各画素中の画素電極と共に液晶を駆動する共通電極として操作され、タッチ駆動期間において、タッチ駆動ＩＣが印加されたタッチ走査信号によってタッチ位置を感知するタッチ電極として操作される。本実施形態において、各電極１５の長さは、４〜６ｍｍである。
【００１１】
複数組の第一接続線１７は、それぞれ複数の電極１５に設置し、各一組の第一接続線１７は、配線１７１及び補償容量線１７３を備える。各一組の配線１７１は、対応する一本の補償容量線１７３と同じ一直線に位置している。各一組の配線１７１の一端は、対応する一つの電極１５と接続し、別の一端は、表示駆動ＩＣ２０と接続して、複数組の配線１７１が第一方向で複数の電極１５を表示駆動ＩＣ２０に電気的に接続させる。
【００１２】
各一組の補償容量線１７３は、第一方向と逆である第二方向に沿って延在して形成される。各一組の補償容量線１７３の一部分は、対応する一つ或いは複数の電極１５に形成されるが、電極１５と接続していない。各一組の補償容量線１７３の電極１５と離れている別の一部分は、非表示区域１３に形成され、且つ共通電圧線１８と接続する。各一組の補償容量線１７３は、対応する一本の配線１７１と同じ一直線に位置し、且つ各一組の配線１７１の長さとそれに対応する一本の補償容量線１７３の長さの和が均一である。従って、各組の第一接続線１７の長さが同じであり、表示駆動モード下で、各組の第一接続線１７の寄生容量値が同じである。
【００１３】
一本の共通電圧線１８は、非表示区域１３の頂部に設置されており、且つ共通電圧スイッチ１９と補償容量線１７３の一端と接続している。一本の共通電圧線１８は、補償容量線１７３と垂直に設置している。
【００１４】
共通電圧スイッチ１９は、非表示区域１３に設置され、共通電圧スイッチ１９の一端は、一本の共通電圧線１８と接続し、別の一端は、表示駆動ＩＣ２０と接続する。従って、一本の共通電圧線１８は、共通電圧スイッチ１９を介して、表示駆動ＩＣ２０と接続する。共通電圧スイッチ１９は、ＯＮ状態及びフローティング（ｆｌｏａｔｉｎｇ）状態を切り替える。共通電圧スイッチ１９がＯＮである際、一本の共通電圧線１８は、表示駆動ＩＣ２０からの共通電圧を補償容量線１７３に印加して、補償容量線１７３に容量が発生される。従って、補償容量線１７３からの容量を配線１７１の寄生容量に補償して、各組の第一接続線１７の寄生容量値が同じになる。共通電圧スイッチ１９がフローティングである際、共通電圧線１８は、補償容量線１７３に共通電圧を印加しない。
【００１５】
表示駆動ＩＣ２０は、非表示区域１３の底部に位置し、且つ共通電圧線１８と対向に設置する。表示駆動ＩＣ２０は、共通電圧スイッチ１９がＯＮ状態及びフローティング（ｆｌｏａｔｉｎｇ）状態を切り替えるように制御する。表示駆動ＩＣ２０は、電極１５及び補償容量線１７３に共通電圧を提供し、且つ配線１７１を介して、電極１５にタッチ走査信号を提供する。
【００１６】
図７を併せて参照すると、１フレームにおいて、タッチパネル１００の駆動モードは、表示駆動モード及びタッチ駆動モードを備える。タッチパネル１００の駆動モードが表示駆動モードである際、タッチ駆動ＩＣが表示駆動ＩＣ２０からの共通電圧を複数の電極１５に印加し、同時に共通電圧スイッチ１９が共通電圧線１８と接触してＯＮ状態になって、共通電圧線１８が補償容量線１７３に共通電圧を印加して、タッチパネル１００に表示する。この際、補償容量線１７３の容量が配線１７１の寄生容量を補償して、各組の第一接続線１７の寄生容量値が同じになる。タッチパネル１００の駆動モードがタッチ駆動モードである際、タッチ駆動ＩＣは複数の電極１５にタッチ走査信号を提供し、同時に共通電圧スイッチ１９がフローティング状態になって、タッチパネル１００がタッチ駆動を行う。タッチ駆動モード下で、共通電圧スイッチ１９がフローティング状態になるため、別途に負荷容量（ＲＣ ｌｏａｄｉｎｇ）が追加されていない。
【００１７】
図３を併せて参照すると、本発明に係る第二実施形態例のタッチパネル３００の構造は第一実施形態例のタッチパネル１００の構造とほぼ同じである。第二実施形態例のタッチパネル３００は、基板３０及び該基板３０に設置された表示駆動ＩＣ４０を備える。
【００１８】
基板３０は、表示区域３１及び該表示区域３１を囲んで設置された非表示区域３３を備える。基板３０は、さらに複数の電極３５、複数組の第一接続線３７、一本の共通電圧線３８及び共通電圧スイッチ３９を備える。
【００１９】
複数組の第一接続線３７は、それぞれ複数の電極３５に設置し、各一組の第一接続線３７は、配線３７１、第一補償容量線３７３、第二補償容量線３７５及び第三補償容量線３７７を備える。
【００２０】
各一組の配線３７１の一端は、対応する一つの電極３５と接続し、別の一端は、表示駆動ＩＣ４０と接続して、複数組の配線３７１が第一方向で複数の電極３５を表示駆動ＩＣ４０に電気的に接続させる。
【００２１】
各一組の第一補償容量線３７３は、第一方向と逆である第二方向に沿って延在して形成される。第二補償容量線３７５及び第三補償容量線３７７は、それぞれ第一方向に沿って延在して形成される。
【００２２】
各一組の  第一補償容量線３７３の一部分は、対応する一つ或いは複数の電極３５に形成されるが、電極３５と接続していない。各一組の第一補償容量線３７３の電極３５と離れている別の一部分は、非表示区域３３に形成され、且つ共通電圧線３８と接続する。各一組の第一補償容量線３７３は、対応する一本の配線３７１と同じ一直線に位置し、且つ各一組の配線３７１の長さとそれに対応する一本の補償容量線３７３の長さの和が均一である。
【００２３】
同一組の第二補償容量線３７５及び第三補償容量線３７７は、それぞれ第一補償容量線３７３と配線３７１の両側に位置し、且つ第一補償容量線３７３と配線３７１と平行している。第二補償容量線３７５及び第三補償容量線３７７の一部分は、一例の複数の電極３５に形成されるが、電極３５と接続していない。第二補償容量線３７５及び第三補償容量線３７７の電極３５と離れている別の一部分は、非表示区域３３に形成され、且つ共通電圧線３８と接続する。第二補償容量線３７５の長さは、第三補償容量線３７７の長さと同じであり、各一組の第一接続線３７の寄生容量値が同じである。
【００２４】
一本の共通電圧線３８は、非表示区域３３の頂部に設置されており、且つ第一補償容量線３７３、第二補償容量線３７５及び第三補償容量線３７７の一端と接続している。一本の共通電圧線３８は、第一補償容量線３７３、第二補償容量線３７５及び第三補償容量線３７７と垂直に設置している。
【００２５】
二つの共通電圧スイッチ３９は、それぞれ非表示区域３３に設置され、一本の共通電圧線３８の両側に設置し、且つ一本の共通電圧線３８と接続する。二つの共通電圧スイッチ３９の一端は、一本の共通電圧線３８と接続し、別の一端は、表示駆動ＩＣ４０と接続する。従って、一本の共通電圧線３８は、共通電圧スイッチ３９を介して表示駆動ＩＣ４０と接続する。共通電圧スイッチ３９は、ＯＮ状態及びフローティング状態を切り替える。共通電圧スイッチ３９がＯＮである際、一本の共通電圧線３８は、表示駆動ＩＣ４０からの共通電圧を第一補償容量線３７３、第二補償容量線３７５及び第三補償容量線３７７に印加して、第一補償容量線３７３、第二補償容量線３７５及び第三補償容量線３７７に容量が発生される。従って、第一補償容量線３７３、第二補償容量線３７５及び第三補償容量線３７７からの容量を配線３７１の寄生容量に補償して、各組の第一接続線３７の寄生容量値が同じになる。共通電圧スイッチ３９がフローティングである際、共通電圧線３８は、第一補償容量線３７３、第二補償容量線３７５及び第三補償容量線３７７に共通電圧を印加しない。
【００２６】
表示駆動ＩＣ４０は、非表示区域３３の底部に位置し、且つ共通電圧線３８と対向に設置する。表示駆動ＩＣ４０は、共通電圧スイッチ３９がＯＮ状態及びフローティング状態を切り替えるように制御する。表示駆動ＩＣ４０は、電極３５及び第一補償容量線３７３、第二補償容量線３７５及び第三補償容量線３７７に共通電圧を提供し、且つ配線３７１を介して電極３５にタッチ走査信号を提供する。
【００２７】
図７を併せて参照すると、１フレームにおいて、タッチパネル３００の駆動モードは、表示駆動モード及びタッチ駆動モードを備える。タッチパネル３００の駆動モードが表示駆動モードである際、タッチ駆動ＩＣが表示駆動ＩＣ４０からの共通電圧を複数の電極３５に印加し、同時に共通電圧スイッチ３９が共通電圧線３８と接触してＯＮ状態になって、共通電圧線３８が第一補償容量線３７３、第二補償容量線３７５及び第三補償容量線３７７に共通電圧を印加して、タッチパネル３００に表示する。この際、第一補償容量線３７３、第二補償容量線３７５及び第三補償容量線３７７の容量が配線３７１の寄生容量を補償して、各組の第一接続線３７の寄生容量値が同じになる。タッチパネル３００の駆動モードがタッチ駆動モードである際、タッチ駆動ＩＣは複数の電極３５にタッチ走査信号を提供し、同時に共通電圧スイッチ３９がフローティング状態になって、タッチパネル３００がタッチ駆動を行う。タッチ駆動モード下で、共通電圧スイッチ３９がフローティング状態になるため、別途に負荷容量が追加されていない。
【００２８】
図４を併せて参照すると、本発明に係る第三実施形態例のタッチパネル４００の構造は第一実施形態例のタッチパネル１００の構造とほぼ同じである。第三実施形態例のタッチパネル４００は、基板５０及び該基板５０に設置された表示駆動ＩＣ６０を備える。
【００２９】
基板５０は、表示区域５１及び該表示区域５１を囲んで設置された非表示区域５３を備える。基板５０は、さらに複数の電極５５、複数組の第一接続線５７、一本の共通電圧線５８及び複数の共通電圧スイッチ５９を備える。複数の電極５５は、それぞれ表示区域５１にマトリックス式で配列されており、且つ複数の電極が重なって設置されている。
【００３０】
複数組の第一接続線５７は、それぞれ複数の電極５５に設置し、同一例の複数の電極５５に位置している。各一組の第一接続線５７は、一本の配線５７１、第一補償容量線５７３、第二補償容量線５７５、第三補償容量線５７７及び第四補償容量線５７９を備える。
【００３１】
各一組の配線５７１の一端は、対応する一つの電極５５と接続し、別の一端は、表示駆動ＩＣ６０と接続して、複数組の配線５７１が第一方向で複数の電極５５を表示駆動ＩＣ６０に電気的に接続させる。
【００３２】
各一組の第一補償容量線５７３は、第一方向と逆である第二方向に沿って延在して形成される。第二補償容量線５７５及び第三補償容量線５７７は、それぞれ第一方向及び第二方向に沿って延在して形成される。各一組の第一補償容量線５７３の一部分は、対応する一つ或いは複数の電極５５に形成されるが、電極５５と接続していない。各一組の第一補償容量線５７３の電極５５と離れている別の一部分は、非表示区域５３に形成され、且つ第四補償容量線５７９と接続する。各一組の第一補償容量線５７３は、対応する同一組の配線５７１と同じ一直線に位置し、且つ各一組の配線５７１の長さとそれに対応する第一補償容量線５７３の長さの和が均一である。
【００３３】
同一組の第二補償容量線５７５及び第三補償容量線５７７は、それぞれ第一補償容量線５７３と配線５７１の両側に位置し、且つ第一補償容量線５７３と配線５７１と平行している。同一組の第二補償容量線５７５及び第三補償容量線５７７の一部分は、それぞれ同一例の複数の電極５５に形成されるが、電極５５と接続していない。第二補償容量線５７５及び第三補償容量線５７７の電極５５と離れている別の一部分は、非表示区域５３の頂部に形成され、且つ第四補償容量線５７９と接続する。第二補償容量線５７５の長さは、第三補償容量線５７７の長さと同じである。第四補償容量線５７９は、非表示区域５３の頂部に位置し、且つ第一補償容量線５７３、第二補償容量線５７５及び第三補償容量線５７７と離れている別の一端と接続し、且つ共通電圧スイッチ５９を介して共通電圧線５８と接続する。
【００３４】
共通電圧線５８は、非表示区域５３の頂部に設置されており、且つ複数組の第四補償容量線５７９と間隙をあけて平行する。
【００３５】
共通電圧スイッチ５９は、非表示区域５３の頂部に設置されており、且つ第四補償容量線５７９と共通電圧線５８との間に位置し、且つ第四補償容量線５７９と共通電圧線５８と接続する。一本の共通電圧線５８は、非表示区域５３の頂部に設置されており、共通電圧スイッチ５９を介して、共通電圧を第一補償容量線５７３、第二補償容量線５７５、第三補償容量線５７７及び第四補償容量線５７９に印加する。一本の共通電圧線５８は、第一補償容量線５７３、第二補償容量線５７５及び第三補償容量線５７７と垂直に設置しており、且つ第四補償容量線５７９と間隙をあけて平行する。
【００３６】
複数の共通電圧スイッチ５９は、それぞれ非表示区域５３に設置され、一本の共通電圧線５８の一側に設置し、且つ一本の共通電圧線５８と接続する。一本の共通電圧線５８の一端は、共通電圧スイッチ５９と接続し、別の一端は、表示駆動ＩＣ６０と接続する。従って、共通電圧スイッチ５９は、一本の共通電圧線５８を介して表示駆動ＩＣ６０と接続する。共通電圧スイッチ５９は、ＯＮ状態及びフローティング状態を切り替える。共通電圧スイッチ５９がＯＮである際、一本の共通電圧線５８は、表示駆動ＩＣ６０からの共通電圧を第一補償容量線５７３、第二補償容量線５７５、第三補償容量線５７７及び第四補償容量線５７９に印加して、第一補償容量線５７３、第二補償容量線５７５、第三補償容量線５７７及び第四補償容量線５７９に容量が発生される。従って、第一補償容量線５７３、第二補償容量線５７５、第三補償容量線５７７及び第四補償容量線５７９からの容量を配線５７１の寄生容量に補償して、各組の第一接続線５７の寄生容量値が同じになる。共通電圧スイッチ５９がフローティングである際、共通電圧線５８は、第一補償容量線５７３、第二補償容量線５７５、第三補償容量線５７７及び第四補償容量線５７９に共通電圧を印加しない。
【００３７】
表示駆動ＩＣ６０は、非表示区域５３の底部に位置し、且つ共通電圧線５８と対向に設置する。表示駆動ＩＣ６０は、共通電圧スイッチ５９がＯＮ状態及びフローティング状態を切り替えるように制御する。表示駆動ＩＣ６０は、電極５５及び第一補償容量線５７３、第二補償容量線５７５、第三補償容量線５７７及び第四補償容量線５７９に共通電圧を提供し、且つ配線５７１を介して、電極５５にタッチ走査信号を提供する。
【００３８】
図７を併せて参照すると、１フレームにおいて、タッチパネル４００の駆動モードは、表示駆動モード及びタッチ駆動モードを備える。タッチパネル４００の駆動モードが表示駆動モードである際、タッチ駆動ＩＣが表示駆動ＩＣ６０からの共通電圧を複数の電極５５に印加し、同時に共通電圧スイッチ５９が共通電圧線５８と接触してＯＮ状態になって、共通電圧線５８が第一補償容量線５７３、第二補償容量線５７５、第三補償容量線５７７及び第四補償容量線５７９に共通電圧を印加して、タッチパネル４００に表示する。この際、第一補償容量線５７３、第二補償容量線５７５、第三補償容量線５７７及び第四補償容量線５７９の容量が配線５７１の寄生容量を補償して、各組の第一接続線５７の寄生容量値が同じになる。タッチパネル４００の駆動モードがタッチ駆動モードである際、タッチ駆動ＩＣは、複数の電極５５にタッチ走査信号を提供し、同時に共通電圧スイッチ５９がフローティング状態になって、タッチパネル４００がタッチ駆動を行う。タッチ駆動モード下で、共通電圧スイッチ５９がフローティング状態になるため、別途に負荷容量が追加されていない。
【００３９】
図５を併せて参照すると、本発明に係る第四実施形態例のタッチパネル５００の構造は第一実施形態例のタッチパネル１００の構造とほぼ同じである。第四実施形態例のタッチパネル５００は、基板７０及び該基板７０に設置された表示駆動ＩＣ８０を備える。
【００４０】
基板７０は、表示区域７１及び該表示区域７１を囲んで設置された非表示区域７３を備える。
【００４１】
基板７０は、さらに第二接続線７２、複数の電極７５、複数組の第一接続線７７、２本の共通電圧線７８及び二つの共通電圧スイッチ７９を備える。複数の電極７５は、それぞれ表示区域７１にマトリックス式で配列されており、且つ複数の電極が重なって設置されている。
【００４２】
複数組の第一接続線７７は、それぞれ複数の電極７５に設置し、同一例の複数の電極７５に位置している。各一組の第一接続線７７は、一本の配線７７１、第一補償容量線７７３、第二補償容量線７７５、第三補償容量線７７７及び第四補償容量線７７９を備える。
【００４３】
各一組の配線７７１の一端は、対応する一つの電極７５と接続し、別の一端は、表示駆動ＩＣ８０と接続して、複数組の配線７７１が第一方向に沿って複数の電極７５を表示駆動ＩＣ８０に電気的に接続させる。
【００４４】
各一組の第一補償容量線７７３は、第一方向と逆である第二方向に沿って延在して形成される。第二補償容量線７７５及び第三補償容量線７７７は、それぞれ第一方向及び第二方向に沿って延在して形成される。各一組の第一補償容量線７７３の一部分は、対応する一つ或いは複数の電極７５に形成されるが、電極７５と接続していない。各一組の第一補償容量線７７３の電極７５と離れている別の一部分は、非表示区域７３に形成され、且つ第四補償容量線７７９と接続する。各一組の第一補償容量線７７３は、対応する同一組の配線７７１と同じ一直線に位置し、且つ各一組の配線７７１の長さとそれに対応する第一補償容量線７７３の長さの和が均一である。
【００４５】
同一組の第二補償容量線７７５及び第三補償容量線７７７は、それぞれ第一補償容量線７７３と配線７７１の両側に位置し、且つ第一補償容量線７７３と配線７７１と平行している。同一組の第二補償容量線７７５及び第三補償容量線７７７の一部分は、それぞれ同一例の複数の電極７５に形成されるが、電極７５と接続していない。第二補償容量線７７５及び第三補償容量線７７７の両端は、それぞれ非表示区域７３の頂部及び底部に位置し、且つ非表示区域７３の頂部に位置している第二補償容量線７７５及び第三補償容量線７７７の端部は、第四補償容量線７７９と接続して、一組の第一接続線７７を構成する。第二補償容量線７７５及び第三補償容量線７７７の第四補償容量線７７９と離れている別の端部は、第二接続線７２と接続する。第二補償容量線７７５の長さは、第三補償容量線７７７の長さと同じなので、各一組の第一接続線７７の容量の寄生容量値が同じになる。
【００４６】
第二接続線７２は、非表示区域７３の底部に位置し、且つ複数の第四補償容量線７７９と平行に設置されている。第二接続線７２は、配線７７１と絶縁的に設置され、且つ各一組の第二補償容量線７７５及び第三補償容量線７７７の第四補償容量線７７９と離れている端部と接続する。
【００４７】
共通電圧線７８は、非表示区域７３の底部に位置し、且つそれぞれ対向する一つの共通電圧スイッチ７９と接続する。
【００４８】
二つの共通電圧スイッチ７９は、共通電圧線７８と第二接続線７２とを接続させる。共通電圧スイッチ７９は、非表示区域７３の頂部に設置されており、且つ第四補償容量線７７９と共通電圧線７８との間に位置し、且つ第四補償容量線７７９と共通電圧線７８と接続する。一本の共通電圧線７８は、非表示区域７３の頂部に設置されており、共通電圧スイッチ７９を介して、共通電圧を第一補償容量線７７３、第二補償容量線７７５、第三補償容量線７７７及び第四補償容量線７７９に印加する。一本の共通電圧線７８は、第一補償容量線７７３、第二補償容量線７７５、第三補償容量線７７７及び第四補償容量線７７９と垂直に設置しており、且つ第四補償容量線７７９と平行する。
【００４９】
複数の共通電圧スイッチ７９は、それぞれ非表示区域７３に設置され、且つ共通電圧線７８と接続する。共通電圧線７８の別の一端は、表示駆動ＩＣ８０と接続する。従って、一本の共通電圧線７８は、表示駆動ＩＣ８０と接続し、共通電圧スイッチ７９によって、第二接続線７２、第一補償容量線７７３、第二補償容量線７７５、第三補償容量線７７７及び第四補償容量線７７９に共通電圧を提供する。共通電圧スイッチ７９は、ＯＮ状態及びフローティング状態を切り替える。共通電圧スイッチ７９がＯＮである際、表示駆動ＩＣ８０からの共通電圧が第二接続線７２によって、第一補償容量線７７３、第二補償容量線７７５、第三補償容量線７７７及び第四補償容量線７７９に印加して、第一補償容量線７７３、第二補償容量線７７５、第三補償容量線７７７及び第四補償容量線７７９に容量が発生される。従って、第一補償容量線７７３、第二補償容量線７７５、第三補償容量線７７７及び第四補償容量線７７９からの容量を配線７７１の寄生容量に補償して、各組の第一接続線７７の寄生容量値が同じになる。共通電圧スイッチ７９がフローティングである際、共通電圧線７８は、第一補償容量線７７３、第二補償容量線７７５、第三補償容量線７７７及び第四補償容量線７７９に共通電圧を印加しない。
【００５０】
表示駆動ＩＣ８０は、非表示区域７３の底部に位置し、且つ共通電圧線７８と対向に設置する。表示駆動ＩＣ８０は、共通電圧スイッチ７９がＯＮ状態及びフローティング状態を切り替えるように制御する。表示駆動ＩＣ８０は、電極７５、第二接続線７２、第一補償容量線７７３、第二補償容量線７７５、第三補償容量線７７７及び第四補償容量線７７９に共通電圧を提供し、且つ配線７７１を介して電極７５にタッチ走査信号を提供する。
【００５１】
図７を併せて参照すると、１フレームにおいて、タッチパネル５００の駆動モードは、表示駆動モード及びタッチ駆動モードを備える。タッチパネル５００の駆動モードが表示駆動モードである際、タッチ駆動ＩＣが表示駆動ＩＣ８０からの共通電圧を複数の電極７５に印加し、同時に共通電圧スイッチ７９が共通電圧線７８と接触してＯＮ状態になり、共通電圧が第二接続線７２によって、第一補償容量線７７３、第二補償容量線７７５、第三補償容量線７７７及び第四補償容量線７７９に印加されて、タッチパネル５００に表示する。この際、第一補償容量線７７３、第二補償容量線７７５、第三補償容量線７７７及び第四補償容量線７７９の容量が配線７７１の寄生容量を補償して、各組の第一接続線７７の寄生容量値が同じになる。タッチパネル５００の駆動モードがタッチ駆動モードである際、タッチ駆動ＩＣは複数の電極７５にタッチ走査信号を提供し、同時に共通電圧スイッチ７９がフローティング状態になって、タッチパネル５００がタッチ駆動を行う。タッチ駆動モード下で、共通電圧スイッチ７９がフローティング状態になるため、別途に負荷容量が追加されていない。
【００５２】
図６を併せて参照すると、本発明に係る第五実施形態例のタッチパネル６００の構造は第一実施形態例のタッチパネル１００の構造とほぼ同じである。第五実施形態例のタッチパネル６００は、基板９０及び該基板９０に設置された表示駆動ＩＣ６０１を備える。
【００５３】
基板９０は、表示区域９１及び該表示区域９１を囲んで設置された非表示区域９３を備える。
【００５４】
基板９０は、さらに複数の電極９５、複数組の第一接続線９７、共通電圧線９８及び二つの共通電圧スイッチ９９を備える。複数の電極９５は、それぞれ表示区域９１にマトリックス式で配列されており、且つ複数の電極が重なって設置されている。
【００５５】
複数組の第一接続線９７は、それぞれ複数の電極９５に設置し、同一例の複数の電極９５に位置している。各一組の第一接続線９７は、配線９７１、第一補償容量線９７３、第二補償容量線９７５、第三補償容量線９７７、第四補償容量線９７８及び第五補償容量線９７９を備える。
【００５６】
各一組の配線９７１の一端は、対応する一つの電極９５と接続し、別の一端は、表示駆動ＩＣ６０１と接続して、複数組の配線９７１が第一方向で複数の電極９５を表示駆動ＩＣ６０１に電気的に接続させる。
【００５７】
各一組の第一補償容量線９７３は、第一方向と逆である第二方向に沿って延在して形成される。第二補償容量線９７５及び第三補償容量線９７７は、それぞれ第一方向及び第二方向に沿って延在して形成される。
【００５８】
各一組の  第一補償容量線９７３の一部分は、対応する一つ或いは複数の電極９５に形成されるが、電極９５と接続していない。各一組の第一補償容量線９７３の電極９５と離れている別の一部分は、非表示区域９３に形成され、且つ第四補償容量線９７８と接続する。各一組の第一補償容量線９７３は、対応する同一組の配線９７１と同じ一直線に位置し、且つ各一組の配線９７１の長さとそれに対応する第一補償容量線９７３の長さの和が均一である。
【００５９】
同一  組の第二補償容量線９７５及び第三補償容量線９７７は、それぞれ第一補償容量線９７３と対向する配線９７１の両側に位置し、且つ第一補償容量線９７３と配線９７１と一定な間隙をあけて平行している。同一組の第一接続線９７の第二補償容量線９７５及び第三補償容量線９７７の一部分は、それぞれ同一例の複数の電極９５に形成されるが、電極９５と接続していない。第二補償容量線９７５及び第三補償容量線９７７の両端は、それぞれ非表示区域９３の頂部及び底部に位置している。非表示区域９３の頂部に位置している第二補償容量線９７５及び第三補償容量線９７７の一端は、第五補償容量線９７９と接続する。第二補償容量線９７５の長さは、第三補償容量線９７７の長さと同じである。
【００６０】
第四補償容量線９７８は、非表示区域９３の頂部に位置しており、第五補償容量線９７９は、非表示区域９３の底部に位置し、且つ第四補償容量線９７８と平行している。第五補償容量線９７９は、配線９７１と絶縁的に設置され、且つ第二補償容量線９７５及び第三補償容量線９７７の端部と接続する。
【００６１】
共通電圧線９８は、非表示区域９３の底部に位置し、表示駆動ＩＣ６０１の頂部位置し、且つ複数の共通電圧スイッチ９９と接続する。
【００６２】
二つの共通電圧スイッチ９９は、共通電圧線９８と第二接続線７２とを接続させる。共通電圧スイッチ９９は、非表示区域９３の頂部に設置されており、且つ第四補償容量線９７８と共通電圧線９８との間に位置し、且つ第四補償容量線９７８と共通電圧線９８と接続する。一本の共通電圧線９８は、非表示区域９３の頂部に設置されており、共通電圧スイッチ９９を介して、共通電圧を第一補償容量線９７３、第二補償容量線９７５、第三補償容量線９７７及び第四補償容量線９７８に印加する。一本の共通電圧線９８は、第一補償容量線９７３、第二補償容量線９７５、第三補償容量線９７７及び第四補償容量線９７８と垂直に設置しており、且つ第四補償容量線９７８と間隙をあけて平行する。
【００６３】
複数の共通電圧スイッチ９９は、それぞれ非表示区域９３の底部に設置され、且つ共通電圧線９８、複数組の第一接続線９７の第五補償容量線９７９と接続する。各一つの共通電圧スイッチ９９は、対向する各一組の第一接続線９７の第五補償容量線９７９と接続する。
【００６４】
共通電圧線９８の一端は、表示駆動ＩＣ６０１と接続する。従って、一本の共通電圧線９８は、表示駆動ＩＣ６０１と接続し、共通電圧スイッチ９９によって、第一補償容量線９７３、第二補償容量線９７５、第三補償容量線９７７、第四補償容量線９７８及び第五補償容量線９７９に共通電圧を提供する。共通電圧スイッチ９９は、ＯＮ状態及びフローティング状態を切り替える。共通電圧スイッチ９９がＯＮである際、表示駆動ＩＣ６０１からの共通電圧が第一補償容量線９７３、第二補償容量線９７５、第三補償容量線９７７、第四補償容量線９７８及び第五補償容量線９７９に印加されて、第一補償容量線９７３、第二補償容量線９７５、第三補償容量線９７７、第四補償容量線９７８及び第五補償容量線９７９に容量が発生される。従って、第一補償容量線９７３、第二補償容量線９７５、第三補償容量線９７７、第四補償容量線９７８及び第五補償容量線９７９からの容量を配線９７１の寄生容量に補償して、各組の第一接続線９７の寄生容量値が同じになる。共通電圧スイッチ９９がフローティングである際、共通電圧線９８は、第一補償容量線９７３、第二補償容量線９７５、第三補償容量線９７７、第四補償容量線９７８及び第五補償容量線９７９に共通電圧を印加しない。
【００６５】
表示駆動ＩＣ６０１は、非表示区域９３の底部に位置し、且つ共通電圧線９８と対向に設置する。表示駆動ＩＣ６０１は、共通電圧スイッチ９９がＯＮ状態及びフローティング状態を切り替えるように制御する。表示駆動ＩＣ６０１は、電極９５、第一補償容量線９７３、第二補償容量線９７５、第三補償容量線９７７、第四補償容量線９７８及び第五補償容量線９７９に共通電圧を提供し、且つ配線９７１を介して電極９５にタッチ走査信号を提供する。
【００６６】
図７を併せて参照すると、１フレームにおいて、タッチパネル６００の駆動モードは、表示駆動モード及びタッチ駆動モードを備える。タッチパネル６００の駆動モードが表示駆動モードである際、タッチ駆動ＩＣが表示駆動ＩＣ６０１からの共通電圧を複数の電極９５に印加し、同時に共通電圧スイッチ９９が共通電圧線９８と接触してＯＮ状態になって、共通電圧が第一補償容量線９７３、第二補償容量線９７５、第三補償容量線９７７、第四補償容量線９７８及び第五補償容量線９７９に共通電圧を印加されて、タッチパネル６００に表示する。この際、第一補償容量線９７３、第二補償容量線９７５、第三補償容量線９７７、第四補償容量線９７８及び第五補償容量線９７９の容量が配線９７１の寄生容量を補償して、各組の第一接続線９７の寄生容量値が同じになる。タッチパネル６００の駆動モードがタッチ駆動モードである際、タッチ駆動ＩＣは複数の電極９５にタッチ走査信号を提供し、同時に共通電圧スイッチ９９がフローティング状態になって、タッチパネル６００がタッチ駆動を行う。タッチ駆動モード下で、共通電圧スイッチ９９がフローティング状態になるため、別途に負荷容量が追加されていない。
【００６７】
本発明に係るタッチパネル１００は、複数の電極１５、複数組の第一接続線１７、一本の共通電圧線１８及び共通電圧スイッチ１９を備え、各一本の第一接続線１７は、配線１７１及び少なくとも一つの補償容量線１７３を備え、配線１７１は対応する電極１５と接続し、少なくとも一つの補償容量線１７３は、対向する電極１５に設置され、且つ該配線１７２と同じ直線に位置する。少なくとも一つの補償容量線１７３は、共通電圧スイッチ１９によって、共通電圧線１８と接続するため、表示駆動モードである場合、共通電圧線１８は、少なくとも一つの補償容量線１７３に共通電圧を印加して、各一組の第一接続線１７の寄生容量値が同じになる。従って、表示駆動モード下で、表示装置の輝度が不均一の問題、色の違い等の問題を防止するため、表示装置の表示効果を向上させる。
【符号の説明】
【００６８】
１００、２００、３００、４００、５００、６００  タッチパネル
２０３、２０、４０、６０、８０、６０１  表示駆動ＩＣ
２０５、１５、３５、５５、７５、９５  電極
２０７、１７１、３７１、５７１、７７１、９７１  配線
１０、３０、５０、９０  基板
１１、３１、５１、７１、９１  表示区域
１３、３３、５３、７３、９３  非表示区域
１７、３７、５７、７７、９７  第一接続線
１７３  補償容量線
１８、３８、５８、７８、９８  共通電圧線
１９、３９、５９、７９、９９  共通電圧スイッチ
３７３、５７３、７７３、９７３  第一補償容量線
３７５、５７５、７７５、９７５  第二補償容量線
３７７、５７７、７７７、９７７  第三補償容量線
５７９、７７９、９７８  第四補償容量線
７２  第二接続線
９７９  第五補償容量線
【図１】
2017211981.tif 000003
【図２】
2017211981.tif 000004
【図３】
2017211981.tif 000005
【図４】
2017211981.tif 000006
【図５】
2017211981.tif 000007
【図６】
2017211981.tif 000008
【図７】
2017211981.tif 000009